(57)【要約】【課題】最新の市場の動向を十分に反映して商品毎の発注数を決定する。【解決手段】検索サイトから得た商品の検索ヒット数情報に基づいて、商品名、ヒット数、良い評価のヒット数、悪い評価のヒット数の検索ヒット数情報を入力する。各商品の検索ヒット数情報を使用して、それぞれ商品のヒット数、良い評価に対応したヒット数、悪い評価に対応したヒット数のそれぞれの構成比を求め、発注情報テーブルを作成する。そして、どの構成比を使用するかを選択し、発注する商品名を発注数とともに入力する。入力した各商品に該当する構成比を発注情報テーブルから読み出し、構成比とその合計値とから構成比分配率を求め、この構成比分配率と入力した発注数の合計値とから各商品の補正発注数を求める。各商品の商品名、発注数、構成比、求めた構成比分配率及び補正発注数を格納したテーブルを作成し、このテーブルの内容をディスプレイに表示する。【選択図】      図３
2005128764.tif 000002
【特許請求の範囲】
【請求項１】
インターネット上の検索サイトにアクセスして得た、各商品についてヒット数、良い評価のヒット数、悪い評価のヒット数などの検索ヒット数情報を基に、商品分類毎に区別して複数商品の商品名、検索ヒット数情報を入力するヒット数情報入力手段と、
このヒット数情報入力手段にて入力した複数商品についての検索ヒット数情報に基づいて、各商品の検索ヒット数の全体に占める割合を示す構成比を求めて、商品分類毎の発注情報テーブルを作成する発注情報テーブル作成手段と、
商品分類毎に区別して発注する商品情報と発注数を入力する発注入力手段と、
この発注入力手段にて入力した各商品に該当する構成比を前記発注情報テーブルから読み出し、その各構成比とその合計値とから構成比分配率を求め、この構成比分配率と入力した各商品の発注数の合計値とから各商品の補正発注数を求める演算手段と、
少なくとも入力した各商品の商品情報、発注数、構成比、求めた構成比分配率及び補正発注数を一時格納するテーブルを作成する一時格納用テーブル作成手段と、
この一時格納用テーブル作成手段が作成したテーブルの内容を表示するディスプレイとを備えたことを特徴とする発注数管理装置。
【発明の詳細な説明】
【技術分野】
【０００１】
本発明は、ＰＯＳシステム等に適用される発注数管理装置に関する。
【背景技術】
【０００２】
従来、スーパーやコンビニエンスストアなどの量販店において、商品を業者に発注する場合は、店長などの責任者の経験に基づいて行われていたが、これでは最近の市場の動向を各商品の発注に十分に生かすことができなかった。一方、過去の所定期間における特定の商品販売数を示す実績データを取得して販売数の予測値を生成し、例えば、当日末の在庫数が最小在庫数を下回らないで、仕入れによる補充後に最大在庫数になるように、発注時期と発注量を決定し、予測値と実際の販売個数の誤差を累積し、この累積値を用いて次回の発注量を補正するという発注量演算システムが知られている（例えば、特許文献１参照）。
【特許文献１】特開２００１−２８２９０６
【発明の開示】
【発明が解決しようとする課題】
【０００３】
しかしながら、この公報のように単に過去の所定期間における特定の商品販売数を示す実績データを取得して販売数の予測値を生成し、それに基づいて発注量を決定するものでは、最新の市場の動向を十分に反映して商品毎の発注数を決定するという点においては不十分であった。  
本発明は、最新の市場の動向を十分に反映して商品毎の発注数を決定することができる発注数管理装置を提供することを目的とする。
【課題を解決するための手段】
【０００４】
本発明は、インターネット上の検索サイトにアクセスして得た、各商品についてヒット数、良い評価のヒット数、悪い評価のヒット数などの検索ヒット数情報を基に、商品分類毎に区別して複数商品の商品名、検索ヒット数情報を入力するヒット数情報入力手段と、このヒット数情報入力手段にて入力した複数商品についての検索ヒット数情報に基づいて、各商品の検索ヒット数の全体に占める割合を示す構成比を求めて、商品分類毎の発注情報テーブルを作成する発注情報テーブル作成手段と、商品分類毎に区別して発注する商品情報と発注数を入力する発注入力手段と、この発注入力手段にて入力した各商品に該当する構成比を発注情報テーブルから読み出し、その各構成比とその合計値とから構成比分配率を求め、この構成比分配率と入力した各商品の発注数の合計値とから各商品の補正発注数を求める演算手段と、少なくとも入力した各商品の商品情報、発注数、構成比、求めた構成比分配率及び補正発注数を一時格納するテーブルを作成する一時格納用テーブル作成手段と、この一時格納用テーブル作成手段が作成したテーブルの内容を表示するディスプレイとを備えたものである。
【発明の効果】
【０００５】
本発明によれば、入力した商品の発注数をインターネット上の検索サイトにアクセスして得た検索ヒット数情報を基に補正するので、最新の市場の動向を十分に反映して商品毎の発注数を決定することができる発注数管理装置を提供できる。
【発明を実施するための最良の形態】
【０００６】
以下、本発明の一実施の形態を、図面を参照して説明する。  
図１はシステム全体の構成を示すブロック図で、インターネット１に、発注数管理機能を内蔵した発注端末２、検索サイト３、複数の業者端末４が接続されている。前記発注端末２は、例えば、店舗内に配置されたＰＯＳシステムにおける管理装置であるストアコントローラと別体に設けられても、あるいはストアコントローラに一体に組み込まれても良い。ここでは別体に設けられている場合について述べる。
【０００７】
検索サイト３では、例えば、スナック菓子、ビール、飲料水、医薬品等の商品分類を構成する各商品について様々な市場調査を行い、それらの結果を様々な検索サイトで照会している。すなわち、商品個々について問合わせがあったヒット数や良い（美味しい）として評価されたヒット数や悪い（美味しくない）として評価されたヒット数等の情報を提供している。
【０００８】
前記発注端末２では様々な検索サイト３にアクセスし、各商品についてヒット数、良い評価のヒット数、悪い評価のヒット数の検索ヒット数情報を集計し、たとえば、一覧表に編集して後述するディスプレイに表示し、プリンタで印字出力するようにしている。前記業者端末４はそれぞれ商品を扱う卸業者や製造メーカなどに設置した端末で、商品の発注先となる。
【０００９】
前記発注端末２は、図２に示すように、制御部本体を構成するＣＰＵ（中央処理装置）２１、このＣＰＵ２１が各部を制御するプログラムデータを格納したＲＯＭ（リード・オンリー・メモリ）２２、受信データや表示データや印字データ等を一時格納するメモリやデータを演算するときに使用するメモリや一時格納用テーブルを形成するメモリを設けたＲＡＭ（ランダム・アクセス・メモリ）２３、後述する発注情報テーブルや発注テーブルを形成するメモリを設けたＨＤＤ（ハードディスク装置）２４を備えている。
【００１０】
また、液晶ディスプレイ２５を表示制御するディスプレイコントローラ２６、発注入力手段を構成するキーボード２７からのキー信号の入力制御を行うキーボードコントローラ２８、プリンタ２９を駆動制御するプリンタコントローラ３０及び前記インターネット１に接続し、このインターネット１を介して通信を行うインターネット通信部３１を備えている。
【００１１】
前記ＣＰＵ２１、ＲＯＭ２２、ＲＡＭ２３、ＨＤＤ２４、ディスプレイコントローラ２６、キーボードコントローラ２８、プリンタコントローラ３０及びインターネット通信部３１はデータバス、アドレスバス、コントロールバスなどのバスライン３２によって互いに電気的に接続している。
【００１２】
前記発注端末２のＣＰＵ２１は、図３に示す発注数管理処理を実行するようにプログラムされている。すなわち、Ｓ１にて、初期化処理を行って使用するメモリのクリア等を行う。続いて、Ｓ２にて、発注情報テーブル作成処理を行う。続いて、Ｓ３にて、発注入力処理を行い、商品分類のカテゴリー毎に発注する商品について発注数量等の入力を行う。最後に、Ｓ４にて、発注補正処理を行い、入力した各商品の発注数を発注情報テーブルの情報を使用して補正する。  
前記発注端末２は、このようにして補正した各商品の発注数に基づいてインターネット通信部３１を制御し、それぞれ該当する業者端末４に対して商品の発注を行うようになっている。
【００１３】
Ｓ２の発注情報テーブル作成処理をさらに詳しく説明すると、図４に示すように、先ず、Ｓ１１にて、初期化処理を行って使用する発注情報テーブルを構成するメモリのクリア等を行う。続いて、Ｓ１２にて、商品分類カテゴリー、例えばスナック菓子等を指定し、Ｓ１３にて、入力商品数を、例えば２１品目等と指定する。そして、Ｓ１４にて、Ｊａｎコード、商品名、商品のヒット数、良い評価のヒット数、悪い評価のヒット数の検索ヒット数情報を入力する。この場合の入力は、先に、検索サイト３にアクセスして得た各商品の検索ヒット数情報を一覧表にしてプリンタ２９でプリントアウトしたものを見てオペレータが行うことになる。入力された情報は発注情報テーブルの該当するエリアに格納される。
【００１４】
そして、Ｓ１５にて、指定した品目数の商品について入力が終了したことを判断すると、Ｓ１６にて、発注情報テーブルの各商品について商品のヒット数、良い評価のヒット数、悪い評価のヒット数の検索ヒット数情報を使用して、それぞれ商品のヒット数、良い評価のヒット数、悪い評価のヒット数の構成比を求め、発注情報テーブルの該当するエリアに格納する。こうして、図５に示す構成の発注情報テーブル２４１がＨＤＤ２４内に構成されることになる。例えば、図５においては、１番目の商品名ＡＢＣの場合は、商品のヒット数の構成比を、１０２０／１１９７０によって求め、良い評価のヒット数の構成比を、５００／５７３０によって求め、悪い評価のヒット数の構成比を、３０／３１３によって求めることになる。
【００１５】
Ｓ３の発注入力処理をさらに詳しく説明すると、先ず、スナック菓子など商品分類カテゴリーの選択を行う。そして、図６に示すように、Ｓ２１にて、初期化処理を行い、ＲＡＭ２３における一時格納用テーブルを作成する領域のクリアが行われる。続いて、Ｓ２２にて、キーボード２７を操作して補正区分を入力する。すなわち、補正を商品のヒット数の構成比を使用して行うのか、良い評価のヒット数の構成比を使用して行うのか、悪い評価のヒット数の構成比を使用して行うのかを選択入力する。
【００１６】
この補正区分入力により、発注する商品の商品名を格納する欄、発注数を格納する欄、構成比を格納する欄、求めた構成比分配率を格納する欄、補正発注数を格納する欄及び各欄の合計値を格納する欄を設けた一時格納テーブルを作成する（一時格納用テーブル作成手段）。そして、作成した一時格納テーブルの内容を前記液晶ディスプレイ２５に表示する。以降の入力情報は、液晶ディスプレイ２５に表示されている一時格納テーブルによって確認できる。
【００１７】
この状態で、キーボード２７を操作し、Ｓ２３にて商品名を入力し、Ｓ２４にて発注数量を入力する。この場合の商品名の入力は、商品名を直接入力しても、また、商品コードを入力し、それに該当する商品名をストアコントローラから受け取っても良い。入力した商品名は一時格納テーブルの商品名を格納する欄に格納されて液晶ディスプレイ２５に表示され、また、入力した数量は一時格納テーブルの発注数を格納する欄に格納されて液晶ディスプレイ２５に表示される。  
以上の操作を発注する商品全てについて繰り返し行い、最後に終了操作を行うと、Ｓ２５にて、発注入力の終了を判断する。
【００１８】
Ｓ４の発注補正処理をさらに詳しく説明すると、図７に示すように、Ｓ３１にて、選択された補正区分が、商品のヒット数の構成比を使用する区分か、良い評価のヒット数の構成比を使用する区分か、それとも悪い評価のヒット数の構成比を使用する区分かを判断する。
【００１９】
補正区分が、商品のヒット数の構成比を使用する区分であれば、Ｓ３２にて、ヒット数構成比の合計を算出する。また、補正区分が、良い評価のヒット数の構成比を使用する区分であれば、Ｓ３３にて、良い評価のヒット数構成比の合計を算出する。また、補正区分が、悪い評価のヒット数の構成比を使用する区分であれば、Ｓ３４にて、悪い評価のヒット数の構成比を良い評価のヒット数の構成比に変換する。これは、１００％から悪い評価のヒット数の構成比を減算したものを良い評価のヒット数の構成比として変換する。そして、Ｓ３５にて、換算した良い評価のヒット数構成比の合計を算出する。そして、各商品の構成比の合計を算出し、その合計値を該当する格納欄に格納する。そして、格納した内容を液晶ディスプレイ２５に表示する。
【００２０】
このような構成比の合計値を算出すると、続いて、Ｓ３６にて、発注入力した各商品の発注数量の合計を算出し、その合計値を該当する格納欄に格納する。そして、格納した内容を液晶ディスプレイ２５に表示する。続いて、Ｓ３７にて発注商品の構成比分配率を各商品の構成比とその合計値とから算出し、一時格納テーブルの該当する商品の構成比分配率格納欄に格納し、格納した内容を液晶ディスプレイ２５に表示する。そして、最後に、Ｓ３８にて、算出した構成比分配率と入力した発注数から補正発注数を算出し、一時格納テーブルの該当する格納欄に格納し、格納した内容を液晶ディスプレイ２５に表示する。
【００２１】
このような構成においては、発注端末２において、検索サイト３への件策結果に基づいて、同一商品分類カテゴリー毎に複数の商品についてのＪａｎコード、商品名、商品のヒット数、良い評価のヒット数、悪い評価のヒット数の検索ヒット数情報を入力する。これにより、図５に示すような構成の発注情報テーブル２４１を作成する。
【００２２】
ここの例では、同一商品分類カテゴリーについて２１品目の商品の検索ヒット数情報を入力した場合を示している。そして、商品のヒット数、良い評価のヒット数、悪い評価のヒット数の各構成比を、全商品の構成比の合計が１００％になるように算出する。従って、１番目の商品名ＡＢＣの場合は、商品のヒット数の構成比は、１０２０／１１９７０によって８．５２％と算出される。また、良い評価のヒット数の構成比は、５００／５７３０によって８．７２％と算出される。また、悪い評価のヒット数の構成比は、３０／３１３によって９．６０％と算出される。
【００２３】
発注情報テーブル２４１を作成した状態で、商品の発注操作を行う。例えば、商品ＡＢＣ、ＢＣＤ、ＣＤＥ、ＤＥＦの４品目について商品のヒット数の構成比による補正区分を選択して合計３６０個の発注行うために、商品ＡＢＣについて発注数１２０個を入力し、商品ＢＣＤについて発注数１００個を入力し、商品ＣＤＥについて発注数８０個を入力し、商品ＤＥＦについて発注数６０個を入力したとすると、各商品について発注情報テーブル２４１から該当する構成比が読み出されて作成された一時格納用テーブルに格納される。すなわち、図８に示すように、一時格納用テーブル２３１に商品名、発注数、構成比が格納され、その内容が液晶ディスプレイ２５に表示される。
【００２４】
そして、各商品の構成比とその合計から構成比分配率が算出される。例えば、商品ＡＢＣの構成比は８．５２％であり、全体の合計が２９．２４％であるので、商品ＡＢＣの構成比分配率は、８．５２／２９．２４で、略２９％となる。さらに、構成比分配率と発注数の合計から補正発注数が算出される。商品ＡＢＣの構成比分配率は２９％であり、発注数の合計が３６０個であるので、補正発注数は、３６０×０．２９で、１０４個となる。これにより、商品ＡＢＣについては当初発注数を１２０個と入力したが、最近の商品ＡＢＣのインターネット上でのヒット数を加味して１０４個に補正されたことになる。同様にして、商品ＢＣＤについては当初発注数を１００個と入力したが９４個に補正され、商品ＣＤＥについては当初発注数を８０個と入力したが８３個に補正され、商品ＤＥＦについては当初発注数を６０個と入力したが７９個に補正される。
【００２５】
このように、商品販売における市場動向が検索サイト３における検索ヒット数によって反映されるような商品について発注する場合には、市場動向を正確に反映した発注ができる。
【００２６】
また、上記において、補正区分として、良い評価を受けた検索ヒット数の構成比を選択した場合は、図９に示すように、一時格納用テーブル２３２に商品名、発注数、構成比が格納され、その内容が液晶ディスプレイ２５に表示される。この場合の商品ＡＢＣの構成比は８．７２％であり、全体の合計が２７．１２％であるので、商品ＡＢＣの構成比分配率は、８．７２／２７．１２で、略３２％となる。さらに、構成比分配率と発注数の合計から補正発注数が算出される。商品ＡＢＣの構成比分配率は３２％であり、発注数の合計が３６０個であるので、補正発注数は、３６０×０．３２で、１１５個となる。これにより、商品ＡＢＣについては当初発注数を１２０個と入力したが、最近の商品ＡＢＣのインターネット上での良い評価を受けた検索ヒット数を加味して１１５個に補正されたことになる。同様にして、商品ＢＣＤについては当初発注数を１００個と入力したが１０１個に補正され、商品ＣＤＥについては当初発注数を８０個と入力したが７６個に補正され、商品ＤＥＦについては当初発注数を６０個と入力したが６８個に補正される。
【００２７】
このように、商品販売における市場動向が検索サイト３における良い評価を受けた検索ヒット数によって反映されるような商品について発注する場合には、市場動向を正確に反映した発注ができる。
【００２８】
また、上記において、補正区分として、悪い評価を受けた検索ヒット数の構成比を選択した場合は、図１０に示すように、一時格納用テーブル２３３に商品名、発注数、構成比が格納され、その内容が液晶ディスプレイ２５に表示される。この場合の商品ＡＢＣの構成比は、悪い評価の構成比を１００％から減算した内容になるので、１００−９．６＝９０．４％となる。同様にして商品ＢＣＤの構成比は、１００−６．３９＝９３．６１％となり、商品ＣＤＥの構成比は、１００−４．７９＝９５．２１％となり、商品ＤＥＦの構成比は、１００−６．３９＝９３．６１％となる。
【００２９】
そして、構成比の合計が、３７２．８３％となるので、商品ＡＢＣの構成比分配率は、９０．４０／３７２．８３で、略２４％となり、同様にして、商品ＢＣＤの構成比分配率は略２５％となり、商品ＣＤＥの構成比分配率は略２６％となり、商品ＤＥＦの構成比分配率は略２５％となる。そして、発注数の合計が３６０個であるので、商品ＡＢＣの補正発注数は８６個、商品ＢＣＤの補正発注数は９０個、商品ＣＤＥの補正発注数は９４個、商品ＤＥＦの補正発注数は９０個になる。
【００３０】
このように、商品販売における市場動向が検索サイト３における悪い評価を受けた検索ヒット数によって反映されるような商品について発注する場合には、市場動向を正確に反映した発注ができる。
【００３１】
このようにして各種商品分類カテゴリーの商品について補正区分を指定して発注入力処理を行うことで、最終的に補正された発注数が算出される。そして、これらを最終的にまとめ、ＨＤＤ２４に図１１に示す構成の発注テーブル２４２を作成する。すなわち、Ｊａｎコード、商品分類カテゴリー、補正区分、商品名、入力発注数及び発注補正値を発注する商品全てについて一覧にした発注テーブル２４２を作成する。
【００３２】
従って、発注端末２の操作者はこの発注テーブル２４２の内容をプリンタ２９によって伝票等に印字出力することができる。そして、この一覧表を見ることにより、各種商品をそれぞれ該当する業者端末４に対して発注する作業を行うことができる。
【図面の簡単な説明】
【００３３】
【図１】本発明の一実施の形態に係るシステム全体の構成を示すブロック図。
【図２】同実施の形態における発注端末の構成を示すブロック図。
【図３】同実施の形態における発注端末の発注数管理処理を示す流れ図。
【図４】同実施の形態における発注情報テーブル作成処理を示す流れ図。
【図５】同実施の形態において作成された発注情報テーブルの一例を示す図。
【図６】図３の発注数管理処理における発注入力処理を示す流れ図。
【図７】図３の発注数管理処理における発注補正処理を示す流れ図。
【図８】同実施の形態において補正区分として商品のヒット数による構成比を選択したときの一時格納テーブルの構成例を示す図。
【図９】同実施の形態において補正区分として良い評価のヒット数による構成比を選択したときの一時格納テーブルの構成例を示す図。
【図１０】同実施の形態において補正区分として悪い評価のヒット数による構成比を選択したときの一時格納テーブルの構成例を示す図。
【図１１】同実施の形態において発注時に作成される発注テーブルの構成を示す図。
【符号の説明】
【００３４】
２…発注端末、２１…ＣＰＵ（中央処理装置）、２５…液晶ディスプレイ、２７…キーボード、２３１，２３２，２３３…一時格納テーブル、２４１…発注情報テーブル。
【図１】
2005128764.tif 000003
【図２】
2005128764.tif 000004
【図３】
2005128764.tif 000005
【図４】
2005128764.tif 000006
【図５】
2005128764.tif 000007
【図６】
2005128764.tif 000008
【図７】
2005128764.tif 000009
【図８】
2005128764.tif 000010
【図９】
2005128764.tif 000011
【図１０】
2005128764.tif 000012
【図１１】
2005128764.tif 000013